(57)【要約】  良好な装着感が得られ、観劇やスポーツ観戦、魚釣りなどに高い実用性を発揮する装着式双眼鏡を提供する。  少なくとも対物レンズ及び接眼レンズを支持する一対の鏡筒を有し、平行に並んだ各鏡筒に互いの間隔を調整するための眼幅調整手段を架設した双眼鏡本体１０と、正面のメインフレーム２１及びメインフレーム２１の両側から後方に延びる一対のテンプル２２を備え、メインフレーム２１には双眼鏡本体１０が連結され、テンプル２２を装着者の側頭部及び耳に係止させて、双眼鏡本体１０を眼前に位置させるフレーム２０と、略ハ字形に開いた変形可能なパッド部３２を有し、パッド部３２を装着者の鼻に係止させて、双眼鏡本体１０を支持するとともに、パッド部３２の開き角を調整することで鼻との係止位置を変え、装着者の両眼に対する双眼鏡本体１０の位置調整が可能なノーズパッド３０と、を備えた構成としてある。
2014057711.tif 000002
【特許請求の範囲】
【請求項１】
少なくとも対物レンズ及び接眼レンズを支持する一対の鏡筒を有し、平行に並んだ各鏡筒に互いの間隔を調整するための眼幅調整手段を架設した双眼鏡本体と、
正面のメインフレーム及び前記メインフレームの両側から後方に延びる一対のテンプルを備え、前記メインフレームには前記双眼鏡本体が連結され、前記テンプルを装着者の側頭部及び耳に係止させて、前記双眼鏡本体を眼前に位置させるフレームと、
略ハ字形に開いた変形可能な保持部を有し、前記保持部を装着者の鼻に係止させて、前記双眼鏡本体を支持するとともに、前記保持部の開き角を調整することで鼻との係止位置を変え、装着者の両眼に対する前記双眼鏡本体の位置調整が可能なノーズパッドと、
を備えたことを特徴とする装着式双眼鏡。
【請求項２】
前記ノーズパッドが、逆Ｖ字形又は逆Ｕ字形の変形可能な金属製の骨格部と、前記骨格部を被覆する弾性体からなるパッド部とを有する請求項１に記載の装着式双眼鏡。
【請求項３】
前記テンプルが、装着者の側頭部の丸みに対応する湾曲形状を有し、装着者の側頭部に弾性をもって係止する請求項１又は２に記載の装着式双眼鏡。
【請求項４】
前記テンプルの少なくとも自由端側に、装着者の側頭部に接触する滑り止めのゴム又はエラストマーを設けた請求項１〜３のいずれか１項に記載の装着式双眼鏡。
【請求項５】
前記対物レンズの焦点を無限遠付近に固定し、前記双眼鏡本体のピント合わせを不要とした請求項１〜４のいずれか１項に記載の装着式双眼鏡。
【請求項６】
前記眼幅調整手段が、
軸の両側に左右逆向きの雄ねじを形成した左右ねじと、
前記左右ねじを回転させるための操作部と、
各鏡筒の可動範囲を画定する溝を設けた前記左右ねじを覆うカバーと、
前記左右ねじの各雄ねじにそれぞれ螺合する雌ねじを有する各鏡筒の結合部と、
前記左右ねじと平行に配設され、両側に各鏡筒を摺動可能に取り付けたガイド棒と、
を備えた請求項１〜５のいずれか１項に記載の装着式双眼鏡。
【請求項７】
前記双眼鏡本体と前記メインフレームとを結合させるための連結構造であって、前記双眼鏡本体又は前記メインフレームの一方に設けた凸部、他方に設けた凹部を有し、
前記凸部と前記凹部とを互いに嵌合させた状態で、
前記凸部の突出方向と平行な２本のねじ又はピンを、前記凸部の両側を貫通させて前記凹部に達するように取り付けるとともに、
前記凸部の突出方向と交差する１又は２本のねじ又はピンを、前記凸部及び前記凹部の両方を貫通させて取り付ける、前記連結構造を備えた請求項１〜６のいずれか１項に記載の装着式双眼鏡。
【請求項８】
各鏡筒の前記接眼レンズの周りから外側に張り出すように設けられ、装着者の両眼に対向する面を略平面とした目当てを備えた請求項１〜７のいずれか１項に記載の装着式双眼鏡。
【発明の詳細な説明】
【技術分野】
【０００１】
本発明は、顔に装着してハンズフリーで使用することができる装着式双眼鏡に関し、特に、良好な装着感が得られ、観劇やスポーツ観戦、魚釣りなどに高い実用性を発揮する装着式双眼鏡に関する。
【背景技術】
【０００２】
従来から、顔に装着する構成の双眼鏡に関する多数の特許出願、実用新案登録出願がなされている。本出願人らが出願前に過去の特許出願、実用新案登録出願を事前調査したところ、下記の特許文献１〜６３が公開されていた。これら特許文献１〜６３には、観劇やスポーツ観戦、魚釣りなどに用いられる一般向けのものと、外科手術や治療に用いられる医療用のものとが含まれている。【０００３】
一般向けの装着式双眼鏡として、例えば、特開２０１１−５１２５５７号公報（特許文献１）には、中空の眼鏡フレームに対物レンズと接眼レンズとを設け、前記中空内に配設した光学系によって対物レンズから接眼レンズまでの光路を形成し、使用者の目に拡大された像を提供する構成の望遠鏡付き眼鏡が提案されている。また、特開２００９−３１３８１号公報（特許文献３）には、サングラスのレンズ部分に双眼鏡の接眼側を連結したサングラス双眼鏡が提案されている。【０００４】
さらに、西独国実用新案出願公開第ＤＥ２０  ２００５  ００８３５３  Ｕ１号明細書（特許文献１３）には、眼鏡フレームに一対の接眼レンズを取り付けるとともに、これら接眼レンズの正面に一対の対物レンズを間隔をおいて配設したテレビ視聴用の拡大鏡が提案されている。【０００５】
一方、医療用の装着式拡大鏡として、例えば、特開２０１１−２６４２号公報（特許文献２）には、患者の口腔内を拡大するために、アダプターを介して眼鏡に装着可能な医療用拡大鏡が提案されている。特開２００７−３１０００６号公報（特許文献４）には、脳外科手術や心臓血管手術等の微細な組織を処置するために、左右の眼鏡レンズに一対の拡大光学系ユニットを取り付けるとともに、これら拡大光学系ユニットを頭部固定用のフレームに連結した構成の医療用拡大鏡が提案されている。特開２００７−１４０５２３号公報（特許文献５）には、頭部に装着可能なヘッドマウントに固定される旋回軸と、一対の拡大光学素子に固定される旋回軸とを、長手方向の軸に沿って伸縮する伸縮ロッドで連結した構成のヘッドルーペが提案されている。
【先行技術文献】
【特許文献】
【０００６】
【特許文献１】特開２０１１−５１２５５７号公報
【特許文献２】特開２０１１−２６４２号公報
【特許文献３】特開２００９−３１３８１号公報
【特許文献４】特開２００７−３１０００６号公報
【特許文献５】特開２００７−１４０５２３号公報
【特許文献６】国際公開ＷＯ０７／０５７９８７号
【特許文献７】特開２００６−１１２０８号公報
【特許文献８】特開２００５−２５７８０２号公報
【特許文献９】特開２００５−１２８３０５号公報
【特許文献１０】特開２００５−１２８１５８号公報
【特許文献１１】特開２００５−１０７２５０号公報
【特許文献１２】特開２００５−１８０６８号公報
【特許文献１３】西独国実用新案出願公開第ＤＥ２０  ２００５  ００８３５３  Ｕ１号明細書
【特許文献１４】特開２００４−１３８８７０号公報
【特許文献１５】特開２００４−５３９１０号公報
【特許文献１６】特開２００３−５３２１３７号公報
【特許文献１７】特開２００３−３１５６８８号公報
【特許文献１８】特開２００３−２９５１２８号公報
【特許文献１９】特開２００３−１９５１８５号公報
【特許文献２０】特開平１０−５１０３６９号公報
【特許文献２１】特開平８−２２０４４５号公報
【特許文献２２】特開平５−４５６２７号公報
【特許文献２３】特開平３−６９９０８号公報
【特許文献２４】特開平３−２６１１３号公報
【特許文献２５】特開平２−７５６１６号公報
【特許文献２６】特開平１−２３０２０号公報
【特許文献２７】特開昭６２−６５６２１号公報
【特許文献２８】特開昭６０−１０７８１７号公報
【特許文献２９】特開昭６０−１２０４１７号公報
【特許文献３０】特開昭５９−９３１３号公報
【特許文献３１】特開昭５７−１１５０８号公報
【特許文献３２】特開昭５６−８０５０７号公報
【特許文献３３】特開昭５５−５２１２２号公報
【特許文献３４】特開昭５５−１１６３１４号公報
【特許文献３５】特開昭５２−１１４０４０号公報
【特許文献３６】特開昭５１−６５８４６号公報
【特許文献３７】特開昭５１−１０８６４６号公報
【特許文献３８】特開昭５０−６９１４７号公報
【特許文献３９】特開昭４９−２２９４７号公報
【特許文献４０】特公昭３９−３６２５８号公報
【特許文献４１】特公昭３８−１８５６３号公報
【特許文献４２】特公昭３８−１３８７０号公報
【特許文献４３】特公昭３７−１００７６号公報
【特許文献４４】特公昭３６−３７６０号公報
【特許文献４５】特公昭３６−２０４８号公報
【特許文献４６】特公昭３５−２６３６８号公報
【特許文献４７】特公昭３５−１８９６８号公報
【特許文献４８】特公昭３４−１１８５０号公報
【特許文献４９】特公昭３３−１６４６４号公報
【特許文献５０】特公昭１１−４１３３号公報
【特許文献５１】特公昭２９−３９７３号公報
【特許文献５２】特公昭２９−１７６２号公報
【特許文献５３】特公昭２５−９９７１号公報
【特許文献５４】特公昭２５−１６２１号公報
【特許文献５５】特公昭２４−８３７０号公報
【特許文献５６】特公昭９−６６９０号公報
【特許文献５７】特公昭８−１２１０７号公報
【特許文献５８】特公昭７−１８４１６号公報
【特許文献５９】特公昭７−１３７５０号公報
【特許文献６０】特公昭７−１３７４９号公報
【特許文献６１】特公昭３−２１２０号公報
【特許文献６２】特許第３１６７８５０号公報
【特許文献６３】特許第３００７８６０号公報
【発明の概要】
【発明が解決しようとする課題】
【０００７】
上述のように、装着式双眼鏡は、過去に多数の特許出願、実用新案登録出願がなされている。ところが、特許文献１〜６３のうち、観劇やスポーツ観戦、魚釣りなどに用いられる一般向けの装着式双眼鏡で、現実に実施されているものは極めて少ない。出願人らが調査したところ、現在、一般向けの装着式双眼鏡で実施されているものは、特許文献１３に記載された発明の実施品であるエッシェンバッハ社の商品名「ＭＡＸ  ＴＶ」のみであった。このように、従来の一般向けの装着式双眼鏡が実施化に至っていないのは、以下のような技術的課題があるためと考える。【０００８】
＜重量バランスの問題＞
例えば、特許文献３の装着式双眼鏡のように、眼鏡フレームに双眼鏡を取り付けた構成では、重量の重い双眼鏡本体が眼鏡フレームの前方に張り出す。このため、双眼鏡本体の重量が装着者の鼻に集中してしまい、安定した装着感が得られない。また、不安定な装着状態は、装着者の両眼と双眼鏡本体との位置ずれを生じ、安定した視界の継続的な維持ができない。このため、従来の一般向けの装着式双眼鏡を実施したとしても、良好な掛け心地を得ることはできない。【０００９】
なお、特許文献１３の装着式双眼鏡は、対物レンズと接眼レンズとを間隔をあけて対向させ、重い鏡筒を省略した構成としてあるので、上記のような重量の問題は生じない。しかし、拡大光学系が簡素なために２．１倍の倍率しかなく、観劇やスポーツ観戦、魚釣りなどに用いることができず、専らテレビ画面の視聴に用途が限定されている。【００１０】
＜調整機構の問題＞
＜＜装着位置の調整＞＞
特許文献３の装着式双眼鏡のように、眼鏡フレームに双眼鏡を取り付けた構成では、双眼鏡本体を装着者の両眼と位置合わせするための機構を有しない。これでは、通常の眼鏡と同様に、重量の重い双眼鏡本体が下がってしまい、装着者の両眼と双眼鏡本体との位置ずれを生じる。【００１１】
一方、特許文献２、４及び５のような医療用の装着式拡大鏡には、拡大鏡本体を装着者の両眼と位置合わせするための機構を有している。しかし、特許文献２のようなヒンジの組み合わせからなる装着位置の調整機構、特許文献５のような伸縮式の装着位置の調整機構は、構造が複雑で重量が重い。このような装着位置の調整機構を一般向けの装着式双眼鏡に設ければ、大重量化による装着感の低下と、構造の複雑化による製造コストの高騰とを招来してしまう。また、特許文献４のような長孔及びねじからなる装着位置の調整機構は、ドライバーを用いて調整しなければならず、観劇やスポーツ観戦、魚釣りなどの最中に、双眼鏡本体の装着位置を気軽に調整することができない。【００１２】
さらに、特許文献２及び５の装着式拡大鏡のように、眼鏡フレームと拡大鏡本体とを、ヒンジ、旋回軸、スライド軸、伸縮ロッドなどの可動部材で連結させた構成にすると、眼鏡フレームと拡大鏡本体との接合が安定せず、装着者の両眼と拡大鏡本体との位置ずれを生じ、安定した視界の継続的な維持ができない。高価な医療用の装着式拡大鏡では、連結に用いる可動部材の調整精度、固定精度及び操作性を向上させることができるが、比較的安価な一般向けの装着式双眼鏡に医療用精密機器と同等の機構を採用することは、その用途やコスト面から現実的でない。【００１３】
＜＜ピント調整・眼幅調整＞＞
特許文献３の装着式双眼鏡のように、一対の対物レンズを前後させてピント調整を行う構成では、観劇やスポーツ観戦などで動く対象物にピントを合わせることが困難であり、ピント調整が追い付かない。ピント調整機構は、装着式双眼鏡の重量を重くし、安定した装着感を損なう原因になる。また、ピント調整機構とは別に、眼幅調整機構を設ければ、装着式双眼鏡のデザインの自由度が制限されてしまう。【００１４】
本発明は、上記問題点に鑑みてなされたものであり、双眼鏡本体の荷重を分散させることができ、各種調整機構の簡略化を図り、良好な装着感が得られ、観劇やスポーツ観戦、魚釣りなどに高い実用性を発揮する装着式双眼鏡の提供を目的とする。
【課題を解決するための手段】
【００１５】
上記目的を達成するために、本発明の装着式双眼鏡は、少なくとも対物レンズ及び接眼レンズを支持する一対の鏡筒を有し、平行に並んだ各鏡筒に互いの間隔を調整するための眼幅調整手段を架設した双眼鏡本体と、正面のメインフレーム及び前記メインフレームの両側から後方に延びる一対のテンプルを備え、前記メインフレームには前記双眼鏡本体が連結され、前記テンプルを装着者の側頭部及び耳に係止させて、前記双眼鏡本体を眼前に位置させるフレームと、略ハ字形に開いた変形可能な保持部を有し、前記保持部を装着者の鼻に係止させて、前記双眼鏡本体を支持するとともに、前記保持部の開き角を調整することで鼻との係止位置を変え、装着者の両眼に対する前記双眼鏡本体の位置調整が可能なノーズパッドと、を備えた構成としてある。【００１６】
上記構成によれば、ノーズパッド（略ハ字形に開いた保持部）の開き角を調整することで鼻との係止位置を変え、装着者の両眼に対する双眼鏡本体の位置調整を行うことができる。これにより、従来のような機械的な装着位置の調整機構が不要となり、装着者の鼻に掛かる荷重を軽減することが可能となる。また、ノーズパッドの保持部の接触面積を大きくすることで、装着者の鼻に掛かる荷重を分散させることができ、安定した装着感と、良好な掛け心地を得ることができる。さらに、装着者は、観劇やスポーツ観戦、魚釣りなどの最中にノーズパッドの開き角を調整するだけで、両眼に対する双眼鏡本体の位置を最適にすることが可能である。【００１７】
好ましくは、前記ノーズパッドが、逆Ｖ字形又は逆Ｕ字形の変形可能な金属製の骨格部と、前記骨格部を被覆する弾性体からなるパッド部とを有する構成にするとよい。【００１８】
上記構成によれば、逆Ｖ字形又は逆Ｕ字形の金属製の骨格部を変形させることで、弾性体からなるパッド部を任意の開き角に調整することができ、ノーズパッドと鼻との係止位置を自由に変えることが可能となる。これにより、観劇やスポーツ観戦、魚釣りなどの最中にノーズパッドの開き角を調整するだけで、両眼に対する双眼鏡本体の位置を最適にすることができる。また、金属製の骨格部が最適な開き角を維持し、弾性体からなるパッド部が鼻に密着するので、両眼に対する双眼鏡本体の位置ずれを防止することができ、安定した視界を長時間にわたり維持することが可能となる。【００１９】
ここで、骨格部は、装着者が手で変形させることができ、かつ、その変形を維持することができる金属、例えば、ステンレス、アルミニウム、鉄、銅などの薄板状又は棒状とすることができる。一方、パッド部は、弾性を有する変形可能な素材、例えば、肌触りが良好でアレルギーの問題もないシリコーン製とすることが好ましい。また、パット部の接触面積を大きくすることで、装着者の鼻に掛かる荷重を分散させることが可能となり、本装着式双眼鏡の付け心地をより良好にすることができる。【００２０】
好ましくは、前記テンプルが、装着者の側頭部の丸みに対応する湾曲形状を有し、装着者の側頭部に弾性をもって係止する構成にするとよい。【００２１】
上記構成によれば、湾曲形状のテンプルが、装着者の側頭部の丸みに対応して弾性をもって係止するので、メインフレームに連結した双眼鏡本体の重量を、テンプルの湾曲形状に沿って装着者の側頭部に分散させることができる。これにより、双眼鏡本体を装着者の側頭部にしっかりと固定することができ、装着者の鼻に掛かる荷重を大幅に軽減することが可能となる。このようなテンプルと、上述したノーズパッドとが相俟って、双眼鏡本体の重量が効果的に分散されるとともに、側頭部と鼻とに安定したフィット感が得られ、これまでの装着式双眼鏡にはない、良好な掛け心地を実現することができる。【００２２】
好ましくは、前記テンプルの少なくとも自由端側に、装着者の側頭部に接触する滑り止めのゴム又はエラストマーを設けた構成にするとよい。【００２３】
上記構成によれば、ゴム又はエラストマーからなる滑り止めが、装着者の側頭部に密着し、湾曲形状のテンプルの保持力とフィット感とを向上させることが可能となる。これにより、湾曲形状のテンプルが双眼鏡本体の重量を担う割合が多くなり、重量の効果的な分散を図ることができる。【００２４】
なお、滑り止めのゴム又はエラストマーは、テンプルの自由端側だけに設けてもよく、テンプルの湾曲する内面に沿って設けてもよい。例えば、テンプルの自由端側を、装着者の側頭部に接触するように内向きに湾曲させた場合は、テンプルの自由端側だけに滑り止めのゴム又はエラストマーを設ければ、十分な滑り止め効果を得ることができる。【００２５】
好ましくは、前記対物レンズの焦点を無限遠付近に固定し、前記双眼鏡本体のピント合わせを不要とした構成にするとよい。【００２６】
このような構成によれば、通常の双眼鏡に備わっているフォーカスダイヤル及びこれを用いたピント合わせの操作を省略することができ、本来備わっている人間の目の調節機構を用いて対象物にピントを合わせることが可能となる。すなわち、対物レンズの焦点を無限遠付近に固定することで、比較的近い距離から遠い距離まで、人間の目の調節機構のみで焦点が合うようになる。好ましくは、光学設計で対物レンズの焦点深度を深く取り、かつ対物レンズの有効径を小さくすることで、双眼鏡本体のフォーカスフリー（固定焦点）機構がより使いやすいものとなる。【００２７】
上記構成によれば、装着式双眼鏡の構成からピント調整機構を省略することができ、全体の軽量化を図ることができるとともに、デザインの自由度が向上する。また、観劇やスポーツ観戦などにおいて、動く対象物に調整なしでピントを合わせることが可能であり、装着式双眼鏡の実用性を大幅に向上させることができる。【００２８】
好ましくは、前記眼幅調整手段が、軸の両側に左右逆向きの雄ねじを形成した左右ねじと、前記左右ねじを回転させるための操作部と、各鏡筒の可動範囲を画定する溝を設けた前記左右ねじを覆うカバーと、前記左右ねじの各雄ねじにそれぞれ螺合する雌ねじを有する各鏡筒の結合部と、前記左右ねじと平行に配設され、両側に各鏡筒を摺動可能に取り付けたガイド棒と、を備えた構成にするとよい。【００２９】
上記構成によれば、操作部によって左右ねじを回転させるだけで、双眼鏡本体の各鏡筒を近接又は離反させることができ、簡単な構成で容易に双眼鏡本体の眼幅調整を行うことが可能となる。また、上述したノーズパッド及びフォーカスフリー機構を採用することで、本発明の装着式双眼鏡は、機械的調整手段として唯一、眼幅調整手段を設ければよいことになり、双眼鏡本体の大幅な軽量化及び簡素化を図ることができる。このような双眼鏡本体の軽量化及び簡素化が、本装着式双眼鏡の付け心地の飛躍的な向上につながる。【００３０】
好ましくは、前記双眼鏡本体と前記メインフレームとを結合させるための連結構造であって、前記双眼鏡本体又は前記メインフレームの一方に設けた凸部、他方に設けた凹部を有し、前記凸部と前記凹部とを互いに嵌合させた状態で、前記凸部の突出方向と平行な２本のねじ又はピンを、前記凸部の両側を貫通させて前記凹部に達するように取り付けるとともに、前記凸部の突出方向と交差する１又は２本のねじ又はピンを、前記凸部及び前記凹部の両方を貫通させて取り付ける構成にするとよい。【００３１】
上記構成によれば、双眼鏡本体とメインフレームとを強固に連結固定させることができ、双眼鏡本体とフレームとの一体的接合が可能となる。これにより、装着者の両眼と双眼鏡本体との位置ずれを防止し、安定した視界の継続的な維持に寄与することができる。【００３２】
また、ねじやピンを取り外すことで、双眼鏡本体とフレームとを互いに分離させることができ、これら構成要素の修理又はメンテナンスを容易に行うことが可能となる。特に、拡大光学系である双眼鏡本体と、金属又は合成樹脂の構造体でフレームとは、取り扱う専門家が異なるので、双眼鏡本体とフレームとを分離させ、これら構成要素を適材適所で製造、修理又はメンテナンスすることができる。【００３３】
好ましくは、各鏡筒の前記接眼レンズの周りから外側に張り出すように設けられ、装着者の両眼に対向する面を略平面とした目当てを備えた構成にするとよい。【００３４】
上記構成によれば、装着者の両眼と接眼レンズと間から入射される外光を目当てで遮って像の視認性を良好にすることができるのみならず、略平面とした目当てが装着者のまつ毛に接触しにくくなり、本装着式双眼鏡の付け心地をより良好にすることが可能となる。【００３５】
このような目当ては、各鏡筒と同じ金属又は合成樹脂などの素材で一体に形成してもよいし、各鏡筒とは別体のゴム又は合成樹脂からなる部品としてもよい。
【発明の効果】
【００３６】
本発明の装着式双眼鏡によれば、双眼鏡本体の荷重を分散させることができ、各種調整機構の簡略化を図り、良好な装着感が得られ、観劇やスポーツ観戦、魚釣りなどに高い実用性を発揮することが可能となる。
【図面の簡単な説明】
【００３７】
【図１】本発明の実施形態に係る装着式双眼鏡を示す斜視図である。
【図２】上記装着式双眼鏡の平面図である。
【図３】上記装着式双眼鏡の底面図である。
【図４】上記装着式双眼鏡の右側面図である。
【図５】上記装着式双眼鏡の正面図である。
【図６】上記装着式双眼鏡の背面図である。
【図７】上記装着式双眼鏡を構成する双眼鏡本体を示す図５のＡ−Ａ断面図である。
【図８】上記双眼鏡本体の眼福調整手段を示す断面図である。
【図９】上記双眼鏡本体とメインフレームとの連結構造を示す断面図である。
【図１０】上記装着式双眼鏡を構成するノーズパッドの正面図である。
【発明を実施するための形態】
【００３８】
以下、本発明の実施形態に係る装着式双眼鏡について、図面を参照しつつ説明する。
【００３９】
＜装着式双眼鏡の全体構成＞
図１〜６において、本実施形態の装着式双眼鏡１は、主として、一対の双眼鏡本体１０、１０、フレーム２０及びノーズパッド３０によって構成してある。一対の双眼鏡本体１０、１０は、それぞれ眼幅調整手段１３の左右ねじ１３ａに螺合してある。眼幅調整手段１３には第１連結部１４、フレーム２０には第２連結部２３がそれぞれ設けてあり、これら第１及び第２連結部１４、２３を介して、各双眼鏡本体１０とフレーム２０とを互いに連結している。また、図６に示すように、ノーズパッド３０は、フレーム２０の裏側における第２連結部２３の直下にねじ止めしてある。以下、双眼鏡本体１０、眼幅調整手段１３、フレーム２０、第１及び第２連結部１４、２３、ノーズパッド３０の各部の構成について、図面を参照しつつ順に説明する。
【００４０】
＜双眼鏡本体＞
図１〜６において、各双眼鏡本体１０は、主として、金属又は合成樹脂製の鏡筒１１、１１内に拡大光学系１２、１２（図７を参照）を収納した構成となっている。
【００４１】
＜＜鏡筒＞＞
各鏡筒１１は、エンジニアリングプラスチックなどの合成樹脂製として軽量化及びローコスト化を図ることが好ましいが、チタン、アルミニウム、マグネシウム等の軽金属製としてもよい。このような一対の双眼鏡本体１０、１０は、拡大光学系１２を含め、互いに左右対称の形状及び配置構成にしてある。
【００４２】
各鏡筒１１の上部後方には、上述した眼幅調整手段１３の左右ねじ１３ａに螺合する結合部１１ａ、１１ａがそれぞれ突設してある。また、各鏡筒１１の上部前方には、一対の摺動孔１１ｂ、１１ｂが一体に形成してある。これら摺動孔１１ｂ、１１ｂには、図１に示すガイド棒１３ｅの両端側が挿通される。
【００４３】
後に詳述するが、眼幅調整手段１３の左右ねじ１３ａを回転させると、この左右ねじ１３ａに沿って、各結合部１１ａが互いに反対方向に移動する。これにより、一対の双眼鏡本体１０、１０が左右方向に接離動作をする。ガイド棒１３ｅ及び各摺動孔１１ｂは、移動中の各双眼鏡本体１０の前側を左右方向にガイドし、その接離動作をスムーズにする。
【００４４】
＜＜目当て＞＞
図６に示すように、各鏡筒１１の後端部には、外側に張り出した略楕円形の目当て１５、１５がそれぞれ一体成形してある。本実施形態では、各目当て１５の裏面（装着者の両眼に対向する面）を略平面としてある。このような構成とすることで、各目当て１５が、装着者のまつ毛に接触しにくくなり、本装着式双眼鏡１の付け心地が良好となる。
【００４５】
目当て１５は、各鏡筒１１と同じ金属又は合成樹脂などの素材で一体に形成してもよいし、各鏡筒１１とは別体のゴム又は合成樹脂からなる部品としてもよい。
【００４６】
＜＜拡大光学系＞＞
図７に示すように、各鏡筒１１の内部には、図中の下から順に、対物レンズ群１２Ａ、正立プリズム１２Ｂ及び接眼レンズ群１２Ｃからなる拡大光学系１２が収納してある。本実施形態の拡大光学系１２は、対物レンズ群１２Ａ及び接眼レンズ群１２Ｃの両方に凸レンズを用い、これら対物レンズ群１２Ａ及び接眼レンズ群１２Ｃの間に正立プリズム１２Ｂを介在させたプリズム式を採用している。プリズム式の双眼鏡本体１０は、ガリレイ式と比較して視野が広く、倍率を高くすることができる。また、正立プリズム１２Ｂが光路を短縮し、双眼鏡本体１０の全長を短くすることができる。
【００４７】
拡大光学系１２は、２群５枚のレンズ構成となっており、双眼鏡本体１０のピント合わせが不要なフォーカスフリー（固定焦点）機構を採用している。本実施形態では、対物レンズ群１２Ａの焦点距離を約４５ｍｍ、有効径を１３ｍｍに設定してある。また、対物レンズ群１２Ａの被写界深度は、約５ｍから無限遠まで焦点が合うようになっている。このような構成によれば、約５ｍから無限遠の範囲は、対物レンズ群１２Ａの被写界深度により装着者の見たところにピントが合い、約５ｍｍより手前は、装着者の眼のピント調整機能によりピントが合う。
【００４８】
本実施形態の正立プリズム１２Ｂは、補助プリズムとダハプリズムとの組み合わせからなる。対物レンズ群１２Ａから入射した光は、補助プリズムに入射し、ダハプリズムへと反射される。ダハプリズムに入射した光は、その内部で反射され、接眼レンズ群１２Ｃへ出射される。このような正立プリズム１２Ｂは、反射の過程で像を反転させて正立像にするとともに、対物レンズ群１２Ａと接眼レンズ群１２Ｃとの光路を直線的にする。これにより、鏡筒１１の外形をスリムな直線状にすることができ、光路短縮の効果と相俟って、双眼鏡本体１０の小型化を図ることができる。
【００４９】
ここで、本実施形態の装着式双眼鏡１は、観劇、スポーツ観戦、コンサート、講演会、魚釣りなどの用途に用いることを想定しており、拡大光学系１２の倍率は、４〜８倍程度が好ましい。拡大光学系１２の倍率を９〜１２倍とすることも可能であるが、８倍を超えたところで拡大光学系１２の重量がやや重くなり、装着者によっては負担を感じるかもしれない。
【００５０】
＜眼幅調整手段＞
図１及び図８に示すように、眼幅調整手段１３は、主として、左右ねじ１３ａの中心に操作部１３ｂを取り付け、左右ねじ１３ａを円筒状のカバー１３ｃで覆った構成としてある。図８に示すように、左右ねじ１３ａは、操作部１３ｂを境にして左右に逆方向の雄ねじが形成してあり、左右の雄ねじには、各鏡筒１１の結合部１１ａをそれぞれ螺合させている。また、カバー１３ｃには、左右の雄ねじにそれぞれ対応する溝（又は開口）１３ｄが設けてある。
【００５１】
一方、図１に示すように、カバー１３ｃには、平面視略Ｖ又はＵ字型の装飾部１６が一体成形してある。図３及び図５に示すように、装飾部１６の裏側には、細長い円筒状の軸受１６ａが、左右ねじ１３ａとほぼ平行に設けてある。この軸受１６ａ内には、上述したガイド棒１３ｅの中央部分が保持してある。ガイド棒１３ｅの両側は、上述した鏡筒１１の各摺動孔１１ｂにそれぞれ挿通される。
【００５２】
上記構成からなる眼幅調整手段１３では、操作部１３ｂを正逆いずれかの方向に回転させると、左右ねじ１３ａの各雄ねじが互いに逆方向に回転し、結合部１１ａを介して各雄ねじに螺合させた一対の双眼鏡本体１０、１０が左右方向に接離動作をする。このとき、各双眼鏡本体１０の前側が、各摺動孔１１ｂに挿通したガイド棒１３ｅにガイドされるので、各双眼鏡本体１０は、前後のバランスを保ちながらスムーズに接離動作を行う。このようにして、各双眼鏡本体１０の接眼レンズの間隔を、装着者の両眼の幅（眼幅）に合わせることができる。
【００５３】
図１〜３に示すように、左右ねじ１３ａのカバー１３ｃの中央には、図中の後方に突出する略凹形状の第１連結部１４が一体成形してある。本実施形態では、この第１連結部１４を介して眼幅調整手段１３をフレーム２０に連結させ、一対の双眼鏡本体１０とフレーム２０とを一体に固定している。以下、フレーム２０の構成について詳述する。
【００５４】
＜フレーム＞
図１〜６に示すように、フレーム２０は、主として、メインフレーム２１と一対のテンプル２２、２２とで構成してある。各テンプル２２は、メインフレーム２１の両端にヒンジを介して回動自在に取り付けてあり、内側に折り畳み可能な構成となっている。
【００５５】
なお、折り畳むことはできないが、メインフレーム２１と一対のテンプル２２、２２とを一連一体の構成としてもよい。また、メインフレーム２１と一対のテンプル２２、２２との素材は、特に限定されるものではなく、上述した軽金属、合成樹脂又はこれら素材の両方を組み合わせたものとしてもよい。
【００５６】
＜＜メインフレーム＞＞
メインフレーム２１は、各双眼鏡本体１０、１０及び眼幅調整手段１３の重量に耐え得る強度を有するものであれば、その形状は特に限定されるものではない。メインフレーム２１の中央前面には、図１〜３に示すように、上述した第１連結部１４に連結される略凸形状の第２連結部２３が突設してある。これら第１及び第２連結部１４、２３による連結構造については、後に図９を参照しつつ詳述する。一方、メインフレーム２１の中央裏面には、図６に示すように、ノーズパッド３０がねじ止めしてある。
【００５７】
＜＜テンプル＞＞
各テンプル２２は、装着者の側頭部の丸みに対応する湾曲形状を有し、装着者の側頭部に弾性をもって係止する構成になっている。
【００５８】
ここで、本実施形態では、各テンプル２２の自由端側に、装着者の側頭部に接触するゴム又はエラストマー製の滑り止め２２ａ、２２ａをそれぞれ嵌合した構成としてある。これら滑り止め２２ａ、２２ａは、装着者の側頭部に密着し、湾曲形状の各テンプル２２の保持力とフィット感とを向上させる。
【００５９】
なお、各滑り止め２２ａは、各テンプル２２の湾曲する内面に沿って設けてもよい。このような構成とした場合は、各滑り止め２２の接触面積が大きくなり、装着者の側頭部への密着保持力も大きくなる。
【００６０】
＜連結構造＞
図１〜３及び図９に示すように、本実施形態では、略凹形状の第１連結部１４に、略凸形状の第２連結部２３を嵌合させ、２本のねじ４１、４２及び２本のピン４３、４４で強固に固定している。
【００６１】
図９において、第１連結部１４の略凹形の部分には、図中の横方向に延びる貫通孔１４ａが穿設してある。また、第１連結部１４の略凹形の前端面（第２連結部２３との当接面）には、それぞれ図中の縦方向に延びる一対のねじ孔１４ｂ、１４ｃが螺設してある。
【００６２】
一方、第２連結部２３の略凸形の部分には、図中の横方向に延びる貫通孔２３ａが穿設してある。この貫通孔２３ａは、第１連結部１４の貫通孔１４ａに対応している。また、第２連結部２３の略凸形の前端面（第１連結部１４との当接面）には、それぞれ図中の縦方向に延びる一対の貫通孔２３ｂ、２３ｃが穿設してある。これら貫通孔２３ｂ、２３ｃは、第１連結部１４の各ねじ孔１４ｂ、１４ｃに対応している。
【００６３】
このような連結構造では、まず、略凹形状の第１連結部１４と、略凸形状の第２連結部２３とを互いに一致するように嵌合させる。すると、貫通孔１４ａと貫通孔２３ａとが連通し、ねじ孔１４ｂ、１４ｃと貫通孔２３ｂ、２３ｃとがそれぞれ連通する。この嵌合状態を維持するために、貫通孔１４ａと貫通孔２３ａとにピン４３、４４を挿通して両者を仮固定する。その後、貫通孔２３ｂ、２３ｃのそれぞれにねじ４１、４２を挿通し、ねじ孔１４ｂ、１４ｃに螺合させる。これにより、眼幅調整手段１３とフレーム２０とが強固に連結固定される。
【００６４】
なお、双眼鏡本体１０、１０（眼幅調整手段１３）とメインフレーム２１との連結構造は、図９に示す実施形態に限定されるものではなく、例えば、ねじ４１、４２をピンに、ピン４３、４４をねじに変更してもよい。また、図中横方向の２本の短いピン４３、４４を１本の長いピンに変更してもよい。但し、２本の短いピン４３、４４とした場合は、第１連結部１４の両側からそれぞれ短いピン４３、４４を貫通孔１４ａに挿通することができ、連結作業が容易となる。さらに、本実施形態では、ねじ又はピンを用いた固定式の連結構造を例示したが、例えば、溝とレールの嵌合による着脱式の連結構造としてもよい。
【００６５】
＜ノーズパッド＞
図５及び図６に示すように、ノーズパッド３０は、略ハ字形に開いた変形可能な保持部材であり、装着者の鼻に係止させて、各双眼鏡本体１０を支持するとともに、その開き角を調整することで鼻との係止位置を変え、装着者の両眼に対する各双眼鏡本体１０の位置調整が可能な構成となっている。
【００６６】
図１０に示すように、本実施形態のノーズパッド３０は、逆Ｖ又は逆Ｕ字形の変形可能な金属製の骨格部３１を、ゴム又はエラストマーからなる弾性体のパッド部３２で被覆した構成となっている。骨格部３１は、装着者が手で変形させることができ、かつ、その変形を維持することができる金属、例えば、ステンレス、アルミニウム、鉄、銅などの薄板状又は棒状とすることができる。一方、パッド部３２は、弾性を有する変形可能な素材であれば、特に材料は限定されない。パッド部３２の材料としては、例えば、肌触りが良好でアレルギーの問題もないシリコーン製とすることが好ましい。
【００６７】
ここで、本実施形態では、パッド部３２の内側半分の面積を、高さＬ≒約１６ｍｍ×幅Ｗ≒約５ｍｍ≒約８０ｍｍ２としてあり、内側全体の接触面積は、約８０×２≒約１６０ｍｍ２としてある。一方、左右一対の一般的な眼鏡の片側ノーズパットの面積は、高さＬ≒約５ｍｍ×幅Ｗ≒約５ｍｍ≒約２５ｍｍ２であり、左右の接触面積は、約２５×２≒約５０ｍｍ２である。このように、本実施形態のパッド部３２は、一般的な眼鏡のノーズパッドの３倍超の接触面積を有している。また、パッド部３２の高さＬを変えることによって、サイズの異なる大小の鼻に適合させることができ、西洋人、東洋人のいずれにも対応することが可能である。
【００６８】
＜本装着式双眼鏡の作用効果＞
上述した本実施形態の装着式双眼鏡１によれば、ノーズパッド３０の開き角を調整することで鼻との係止位置を変え、装着者の両眼に対する双眼鏡本体の位置調整を行うことができる。これにより、従来のような機械的な装着位置の調整機構が不要となり、装着者の鼻に掛かる荷重を軽減することが可能となる。また、パッド部３２の接触面積を大きくすることで、装着者の鼻に掛かる荷重を分散させることができ、安定した装着感と、良好な掛け心地を得ることができる。さらに、装着者は、観劇やスポーツ観戦、魚釣りなどの最中にノーズパッド３０の開き角を調整するだけで、両眼に対する双眼鏡本体の位置を最適にすることが可能である。これに加え、金属製の骨格部３１が最適な開き角を維持し、弾性体からなるパッド部３２が鼻に密着するので、両眼に対する双眼鏡本体の位置ずれを防止することができ、安定した視界を長時間にわたり維持することが可能となる。
【００６９】
湾曲形状の各テンプル２２が、装着者の側頭部の丸みに対応して弾性をもって係止するので、メインフレーム２１に連結した各双眼鏡本体１０（眼幅調整手段１３を含む）の重量を、各テンプル２２の湾曲形状に沿って装着者の側頭部に分散させることができる。これにより、各双眼鏡本体１０を装着者の側頭部にしっかりと固定することができ、装着者の鼻に掛かる荷重を大幅に軽減することが可能となる。このような各テンプル２２と、上述したノーズパッド３０とが相俟って、各双眼鏡本体１０の重量が効果的に分散されるとともに、側頭部と鼻とに安定したフィット感が得られ、これまでの装着式双眼鏡にはない、良好な掛け心地を実現することができる。
【００７０】
ゴム又はエラストマーからなる各滑り止め２２ａが、装着者の側頭部に密着し、湾曲形状の各テンプル２２の保持力とフィット感とを向上させることが可能となる。これにより、湾曲形状の各テンプル２２が各双眼鏡本体１０の重量を担う割合が多くなり、重量の効果的な分散を図ることができる。
【００７１】
各拡大光学系１２をフォーカスフリーの構成としたことで、装着式双眼鏡１の構成からピント調整機構を省略することができ、全体の軽量化を図ることが可能となる。装着式双眼鏡１の軽量化は、装着者に与える荷重を軽減し、より良好な掛け心地を提供する。また、観劇やスポーツ観戦などにおいて、動く対象物に調整なしでピントを合わせることが可能であり、装着式双眼鏡の実用性を大幅に向上させることができる。さらに、ピント調整機構の削減は、装着式双眼鏡１のデザインの自由度向上にも寄与する。
【００７２】
操作部１３ｂによって左右ねじ１３ａを回転させるだけで、各双眼鏡本体１０の鏡筒１１を近接又は離反させることができ、簡単な構成で容易に各双眼鏡本体１０の眼幅調整を行うことが可能となる。また、上述したノーズパッド３０及びフォーカスフリー機構を採用することで、本実施形態の装着式双眼鏡１は、機械的調整手段として唯一、眼幅調整手段１３を設ければよいことになり、各双眼鏡本体１０の大幅な軽量化及び簡素化を図ることができる。このような各双眼鏡本体１０の軽量化及び簡素化が、本装着式双眼鏡の付け心地の飛躍的な向上につながる。
【００７３】
略凹凸形状の第１及び第２連結部１４、２３を、横方向の１本のピン４３、縦方向の２本のねじ４１、４２で止めたことにより、眼幅調整手段１３とメインフレーム２１とを強固に連結固定させることができ、各双眼鏡本体１０とフレーム２０との一体的接合が可能となる。これにより、装着者の両眼と各双眼鏡本体１０との位置ずれを防止し、安定した視界の継続的な維持に寄与することができる。
【００７４】
また、ピン４３及びねじ４１、４２を取り外すことで、各双眼鏡本体１０とフレーム２０とを互いに分離させることができ、これら構成要素の修理又はメンテナンスを容易に行うことが可能となる。特に、拡大光学系である各双眼鏡本体１０と、金属又は合成樹脂の構造体でフレーム２０とは、取り扱う専門家が異なるので、各双眼鏡本体１０とフレーム２０とを分離させ、これら構成要素を適材適所で製造、修理又はメンテナンスすることができる。
【００７５】
各目当て１５の裏面（装着者の両眼に対向する面）を略平面としたことにより、装着者の両眼と接眼レンズと間から入射される外光を目当てで遮って像の視認性を良好にすることができるのみならず、略平面とした各目当て１５が装着者のまつ毛に接触しにくくなり、本装着式双眼鏡１の付け心地をより良好にすることが可能となる。
【符号の説明】
【００７６】
１  装着式双眼鏡
１０  双眼鏡本体
１１  鏡筒
１１ａ  結合部
１１ｂ  摺動孔
１２  拡大光学系
１２Ａ  対物レンズ群
１２Ｂ  正立プリズム
１２Ｃ  接眼レンズ群
１３  眼福調整手段
１３ａ  左右ねじ
１３ｂ  操作部
１３ｃ  カバー
１３ｄ  溝
１３ｅ  ガイド棒
１４  第１連結部
１４ａ  貫通孔
１４ｂ、１４ｃ  ねじ孔
１５  目当て
１６  装飾部
２０  フレーム
２１  メインフレーム
２２  テンプル
２２ａ  滑り止め
２３  第２連結部
２３ａ、２３ｂ、２３ｃ  貫通孔
３０  ノーズパッド
３１  骨格部
３２  パッド部
４１、４２  ねじ
４３、４４  ピン
【図１】
2014057711.tif 000003
【図２】
2014057711.tif 000004
【図３】
2014057711.tif 000005
【図４】
2014057711.tif 000006
【図５】
2014057711.tif 000007
【図６】
2014057711.tif 000008
【図７】
2014057711.tif 000009
【図８】
2014057711.tif 000010
【図９】
2014057711.tif 000011
【図１０】
2014057711.tif 000012
【国際調査報告】
2014057711.tif 000013
2014057711.tif 000014
2014057711.tif 000015
2014057711.tif 000016
2014057711.tif 000017